(57)【要約】【課題】工具類がぶつかったり荷物の下敷きになったりしても破損しにくく、紐の引き出しも抵抗なく円滑に行うことができ、しかも嵩張らない結束紐用容器を得る。【解決手段】ロール状に巻かれた結束紐４を収容する円筒状の容器本体２と、円形の蓋体３とを、鋭角に折り曲げられても恒久的な折目がつかない程度の柔軟性を有するシート状素材により形成し、これらの容器本体２と蓋体３とを、円周の一部において柔軟な連結部５により屈伸自在に連結すると共に、該連結部５を除く残りの円周部分をスライドファスナー６によって開閉自在とし、上記蓋体３に、上記結束紐４を引き出すための円形の引出孔１０を形成して、該引出孔１０の孔縁全体を、角のない滑らかな表面を有する縁枠部材１１によって縁取りする。【選択図】図１
0003140337.tif 000002
【実用新案登録請求の範囲】
【請求項１】
ロール状に巻かれた結束紐を収容するための上面が開放する有底円筒形をした容器本体と、この容器本体の開放する上面を覆う開閉自在の円形の蓋体とからなり、
これらの容器本体と蓋体とは、鋭角に折り曲げられても恒久的な折目がつかない程度の柔軟性を有するシート状素材により形成されていて、円周の一部において柔軟な連結部により屈伸自在に連結されると共に、蓋体の閉鎖時にファスナーによって相互に係止可能なるように構成され、
上記蓋体には、上記結束紐を引き出すための円形の引出孔が形成され、該引出孔の孔縁は、上記結束紐と接触する部分に角を持たない表面が滑らかな縁枠部材によって全周が縁取りされている、
ことを特徴とする結束紐用容器。
【請求項２】
上記ファスナーはスライドファスナーであり、このスライドファスナーによって上記容器本体と蓋体との上記連結部を除いた残りの円周部分が相互に開閉自在とされていることを特徴とする請求項１に記載の結束紐用容器。
【請求項３】
上記シート状素材が合成繊維製の布で形成されると共に、上記容器本体及び蓋体の外表面が、上記合成繊維で形成される微細な凹凸によって粗面をなしていることを特徴とする請求項１又は２に記載の結束紐用容器。
【請求項４】
上記引出孔が蓋体の中央部近傍に形成され、また、上記縁枠部材が金属製の鳩目からなることを特徴とする請求項１から３の何れかに記載の結束紐用容器。
【請求項５】
上記容器本体の一部に吊掛用部材が取り付けられていて、この吊掛用部材により、壁や柱等の支持部に設けたフックに上記引出孔が横を向く姿勢で吊り掛け可能とされていることを特徴とする請求項１から４の何れかに記載の結束紐用容器。
【考案の詳細な説明】
【技術分野】
【０００１】
本考案は、荷物の結束に使用する結束紐を引き出し自在に収容するための結束紐用容器に関するものである。
【背景技術】
【０００２】
ロール状に巻かれた結束紐を引き出し自在に収容するこの種の結束紐用容器として、従来、例えば特許文献１や特許文献２等に記載のものが知られている。これらの結束紐用容器は、通常、段ボールやプラスチックなどによって四角い箱形又は円筒形に形成され、上面に上記結束紐を引き出すための引出孔を備えている。そして、その内部に上記ロール状の結束紐を収容すると共に、該結束紐の端部を上記引出孔から導出させ、荷物を結束する際に該結束紐を必要な長さ分ずつ引き出して使用するものである。
【０００３】
ところが、上記従来の結束紐用容器は、段ボールやプラスチックといったような折れ曲がったり破れたりし易い材料で形成されているため、荷物の結束作業中や梱包作業中に工具類がぶつかったり荷物の下敷きになったりすると、穴が開いたり、折れ曲がったり、割れたり、潰れたりするなど、非常に破損し易いという欠点があり、雑然とした作業場で使用するものとしては適さない構造である。
【０００４】
また、段ボールやプラスチック等に開けた引出孔は、孔縁を滑らかに形成することが難しいため、結束紐を引き出す際に該結束紐が孔縁で擦れ、ささくれた状態になって切れ易くなるだけでなく、引き出し抵抗も大きいために該結束紐を円滑に引き出すことが難しいという欠点もある。
さらに、容器を四角い箱形に形成してそれにロール状の結束紐を収容するのでは、容器の四隅に無駄な空間が形成されることになるため効率が悪く、結束紐の大きさに比べて容器が嵩張ることになる。
【特許文献１】特開平１０−１１４３４５号公報
【特許文献２】特開２００７−６２８４１号公報
【考案の開示】
【考案が解決しようとする課題】
【０００５】
本考案の目的は、上記従来の欠点に鑑み、工具類がぶつかったり荷物の下敷きになったりしても破損しにくく、紐の引き出しも抵抗なく円滑に行うことができ、しかも嵩張らない結束紐用容器を提供することにある。
【課題を解決するための手段】
【０００６】
上記目的を達成するため本考案の結束紐用容器は、ロール状に巻かれた結束紐を収容するための上面が開放する有底円筒形をした容器本体と、この容器本体の開放する上面を覆う開閉自在の円形の蓋体とで構成されている。これらの容器本体と蓋体とは、鋭角に折り曲げられても恒久的な折目がつかない程度の柔軟性を有するシート状素材により形成されていて、円周の一部において柔軟な連結部により屈伸自在に連結されると共に、蓋体の閉鎖時にファスナーによって相互に係止可能なるように構成され、上記蓋体には、上記結束紐を引き出すための円形の引出孔が形成され、該引出孔の孔縁は、上記結束紐と接触する部分に角を持たない表面が滑らかな縁枠部材によって全周が縁取りされている。
【０００７】
本考案において好ましくは、上記ファスナーがスライドファスナーであり、このスライドファスナーによって上記容器本体と蓋体との上記連結部を除いた残りの円周部分が相互に開閉自在とされていることである。
また、上記シート状素材が合成繊維製の布で形成されると共に、上記容器本体及び蓋体の外表面が上記合成繊維で形成される微細な凹凸によって粗面をなしていることが望ましい。
【０００８】
本考案の好ましい具体的な実施形態によれば、上記引出孔が蓋体の中央部近傍に形成され、また、上記縁枠部材が金属製の鳩目で形成されている。
上記容器本体の一部には、結束紐用容器を上記引出孔が横を向く姿勢でフックに吊り掛けるための吊掛用部材が取り付けられていても良い。
【考案の効果】
【０００９】
本考案の結束紐用容器は、容器本体と蓋体とが柔軟性を有するシート状素材で形成されているため、たとえ工具類がぶつかったり荷物の下敷きになったりしても、柔軟に変形するだけで、穴が開いたり、折れ曲がったり、割れたり、潰れたりすることがなく、段ボールやプラスチック等で形成された従来品に比べて破損しにくい。
また、引出孔の孔縁全体が、角のない滑らかな表面を有する縁枠部材によって縁取りされているため、紐の引き出しをあらゆる方向について抵抗なく円滑に行うことができるだけでなく、上記縁枠部材の補強効果により、外力の作用で蓋体がどのような形に変形しても引出孔が変形したり裂けたりすることがなく、結束紐の引き出しが阻害されない。
更に、結束紐用容器を円筒形に形成し、その中にロール状に巻かれた結束紐を同心状に収容するようにしたので、該結束紐用容器を四角い箱形に形成した場合に比べ、全体がコンパクトで嵩張らない。
【考案を実施するための最良の形態】
【００１０】
図は本考案に係る結束紐用容器の一実施形態を示すもので、この結束紐用容器１は、図１及び図２から明らかなように、ロール状に巻かれた結束紐４を収容するための上面が開放する有底の円筒形をした容器本体２と、この容器本体２の開放する上面を覆う開閉自在の円形の蓋体３とで構成されている。なお、以下の説明においては、結束紐４をロール状に巻いたものを「紐ロール体」と称し、参照符号「４Ａ」で表すものとする。
上記容器本体２と蓋体３とは、それぞれが柔軟性を有するシート状素材により形成されていて、円周の一部の位置で同様のシート状素材からなる柔軟な連結部５によって屈伸自在に連結されると共に、蓋体３の閉鎖時にファスナー６によって相互に係止可能なるように構成されている。
【００１１】
上記ファスナー６は、スライドファスナーの形態を有するものである。このスライドファスナー６は、互いに噛み合う複数の歯８を備えた一対のテープ部材７ａ，７ａと、これらのテープ部材７ａ，７ａ間をスライドさせることによって上記歯８を相互に噛み合わせたり離反させたりする開閉操作用のスライダ９とからなるもので、上記一対のテープ部材７ａ，７ａが、上記容器本体２の開口部の口縁と蓋体３の外周部分とに取り付けられており、それによってこれらの容器本体２と蓋体３との上記連結部５を除いた残りの円周部分が、このスライドファスナー６で相互に開閉自在となっている。
【００１２】
なお、巻径の小さい紐ロール体４Ａを収容する小径の結束紐用容器１においては、図示したように上記スライダ９は一つであっても良いが、巻径の大きい紐ロール体４Ａを収容する大径の結束紐用容器１においては、蓋体３の開閉操作を簡単かつ迅速に行い得るようにするため、上記スライダ９を二つ設け、これらのスライダ９を互いに逆方向にスライドさせてスライドファスナー６を半分ずつ開閉するように構成することが望ましい。
【００１３】
上記蓋体３の中央部近傍には、上記結束紐４を引き出すための円形の引出孔１０が形成されていて、該引出孔１０の孔縁は、結束紐４の引き出しを円滑にするため、引き出される該結束紐４と接触する部分に角を持たない表面が滑らかな縁枠部材１１によって全周が縁取りされている。この縁枠部材１１は、角のない滑らかな表面を有するものであれば合成樹脂製であっても金属製であっても良いが、この実施形態においては、金属製の鳩目が用いられている。
なお、上記引出孔１０は、必ずしも蓋体３の中央部やその近傍に設ける必要はなく、側方に寄った位置に設けても良い。
【００１４】
上記容器本体２の一部には、図３に示すように、結束紐用容器１を壁や柱等の支持部１５に設けられたフック１４に吊り掛けるための吊掛用部材１２が取り付けられている。この吊掛用部材１２は、柔軟な紐でループ状に形成されていて、上記容器本体２の側面の上記連結部５が設けられた部分の底部寄りの位置に、外方に延出するように取り付けられている。そして、この吊掛用部材１２をフック１４に掛けると、結束紐用容器１は、上記引出孔１０が横を向く姿勢で吊り掛けられることになる。
【００１５】
上記吊掛用部材１２は、全体が柔軟な紐で形成されている必要はなく、紐の先端に金属製又は合成樹脂製の鉤形あるいはリング形の金具を取り付けたものであっても、全体がこのような鉤形あるいはリング形の金具で形成されていても構わない。また、この吊掛用部材１２を取り付ける場所も、容器本体２の側面における深さ方向の中間位置であっても、その他の位置であっても構わない。
【００１６】
上記容器本体２及び蓋体３を形成するシート状素材は、鋭角に折り曲げられても恒久的な折目や折癖がつかない程度の柔軟性を有するものであることが好ましい。このようなシート状素材としては、布や、布以外の合成樹脂製平面シートなどを使用することができるが、この実施形態においては、合成樹脂製の繊維、特にポリイミド系合成繊維で織られた布が用いられている。このようなポリイミド系合成繊維からなる布は、適度の柔軟性と剛性とを兼ね備えていて、強度も強く、結束紐用容器１として適した自己保形性にも勝れるものである。
また、上記容器本体２及び蓋体３の外表面は、上記合成繊維を織ることによって形成される微細な凹凸１３によって粗面をなしており、平面シートに比べて手触りが良く滑りにくい。一方、上記容器本体２及び蓋体３の内表面は、平滑な面をなすように合成樹脂によってコーティングされている。
【００１７】
このような構成を有する上記結束紐用容器１は、図２に示すように、蓋体３を開放した状態で容器本体２の内部に紐ロール体４Ａを同心状に収容し、該紐ロール体４Ａから結束紐４の端部を引き出して蓋体３の引出孔１０から外部に導出させたあと、図１に示すように、スライドファスナー６によって該蓋体３を閉鎖する。そして、上記結束紐４を引出孔１０から必要な長さ分ずつ引き出しながら荷物の結束に使用するものである。
【００１８】
このとき上記結束紐用容器１は、そのまま床に置いた状態で使用しても良いが、図３に示すように、壁や柱等の支持部１５に設けたフック１４に吊掛用部材１２で吊り掛けた状態で使用することもできる。このように結束紐用容器１を壁や柱に吊り掛けた場合には、該結束紐用容器１が床面以外の一定の位置に固定的に保持されるため、それが結束作業の邪魔になったり、床面上を転がって結束紐４が捻れたり縺れたりするようなことがなく、しかも、上記引出孔１０が横向きとなるため、結束紐４の引き出しをより円滑に行うことができる。
【００１９】
かくして上記結束紐用容器１においては、上記引出孔１０の孔縁全体が角のない滑らかな表面を有する縁枠部材１１によって縁取りされているため、紐の引き出しをあらゆる方向について抵抗なく円滑に行うことができ、段ボールやプラスチック等で形成された従来品のように、結束紐が孔縁で擦れてささくれた状態になったり、大きな引き出し抵抗によって容器が引きずられて動くといったような不都合がない。しかも、上記縁枠部材１１の補強効果により、外力の作用で蓋体３がどのように変形しても引出孔１０が変形したり潰れたり裂けたりするのが防止され、結束紐４の引き出しに影響が及ばない。
【００２０】
また、上記容器本体２と蓋体３とが柔軟性を有するシート状素材により形成されているため、たとえ結束紐用容器１に工具類がぶつかったり、該結束紐用容器１が荷物の下敷きになったりしたとしても、該結束紐用容器１は柔軟に変形するだけで、穴が開いたり、折れ曲がったり、割れたり、潰れたりすることがなく、段ボールやプラスチック等で形成された従来品に比べて破損しにくいという利点もある。
【００２１】
更に、結束紐用容器１を円筒形に形成し、その中に円筒状の紐ロール体４Ａを同心状に収容するようにしたので、該結束紐用容器１を四角い箱形に形成した場合に比べ、全体がコンパクトで嵩張らない。
【００２２】
上記実施形態においては、上記容器本体２と蓋体３とを開閉自在に係止させるファスナー６がスライドファスナーであるが、このファスナー６は、スライドファスナー以外のファスナー、例えば面ファスナーやスナップあるいはかぎホックなどのファスナーで形成することもできる。この場合、これらのファスナーは、必ずしも連結部５を除いた円周部分全体に設ける必要はなく、円周方向の一箇所又は複数箇所に設け、その位置で蓋体３を容器本体２に係止あるいは止着させるようにすれば良い。
また、上記結束紐４としては、合成樹脂製のフィルム又は繊維を用いて紐状に形成したものや、麻などの天然繊維を用いて紐状に形成したものなど、あらゆる種類のものを使用することができる。
【図面の簡単な説明】
【００２３】
【図１】本考案に係る結束紐用容器の一実施形態を示す使用状態での斜視図である。
【図２】上記結束紐用容器の蓋体を開放した状態の斜視図である。
【図３】上記結束紐用容器の他の使用状態を示す斜視図である。
【符号の説明】
【００２４】
１      結束紐用容器
２      容器本体
３      蓋体
４      結束紐
５      連結部
６      ファスナー
１０      引出孔
１１      縁枠部材
１２      吊掛用部材
１３      凹凸
１４      フック
【図１】
0003140337.tif 000003
【図２】
0003140337.tif 000004
【図３】
0003140337.tif 000005